(57)【要約】【課題】釣り用の錘または疑似餌として使用され、ターゲットとなる魚種、釣法等に応じて設計自在な異種金属からなるハイブリッド複合体を提供する。【解決手段】釣り用の錘または疑似餌として使用されるハイブリッド複合体１であって、第１金属からなる本体部２と、前記第１金属とは異なる種類の第２金属からなり前記本体部の任意の位置に内包される内包部３と、前記本体部を貫通して形成されるパイプ挿通孔４と、前記パイプ挿通孔内に配され、糸またはワイヤーが挿通される樹脂製、エラストマー製もしくはセラミック製のパイプ体５と、を備える。【選択図】図１
0003234490.tif 000002
【実用新案登録請求の範囲】
【請求項１】
釣り用の錘または疑似餌として使用されるハイブリッド複合体であって、
第１金属からなる本体部と、
前記第１金属とは異なる種類の第２金属からなり前記本体部の任意の位置に内包される内包部と、
前記本体部を貫通して形成されるパイプ挿通孔と、
前記パイプ挿通孔内に配され、糸またはワイヤーが挿通される樹脂製、エラストマー製もしくはセラミック製のパイプ体と、を備えることを特徴とするハイブリッド複合体。
【請求項２】
請求項１において、
メタルジグ、タイラバ用ヘッドであることを特徴とするハイブリッド複合体。
【請求項３】
請求項１または請求項２において、
前記第２金属は、前記第１金属とは異なる密度の金属であり、
前記本体部と前記内包部の体積比が調整され比重調整されてなることを特徴とするハイブリッド複合体。
【請求項４】
請求項１〜請求項３のいずれか１項において、
前記内包部を構成する前記第２金属の密度が前記本体部を構成する前記第１金属の密度より大きく、前記内包部が重心となる位置に設けられていることを特徴とするハイブリッド複合体。
【考案の詳細な説明】
【技術分野】
【０００１】
本考案は、釣り用の錘または疑似餌（ルアー）として使用されるハイブリッド複合体に関する。
【背景技術】
【０００２】
従来、釣り用の錘や疑似餌は、鉛、タングステン、鉄、亜鉛、スズ、これらの合金等、単一の金属材料から形成されたものが広く使用されてきた。
【０００３】
しかし近年は、異種金属を組み合わせて種々金属材料の特性を活かしたハイブリッドスタイルものが見られる。例えばタングステンやタングステン合金は、従来よく用いられた鉛よりも加工の難しさはあるものの、密度が大きいため、体積が小さく小型でも十分な質量が確保でき、空気抵抗や水中での抵抗が少ない釣り用錘を構成できる。下記特許文献１及び下記特許文献２には、鉛と、鉛よりも密度が大きいタングステンとで形成された疑似餌ヘッドやルアーが開示されている。
【先行技術文献】
【特許文献】
【０００４】
【特許文献１】特開２０１７−１２３８０５号公報
【特許文献２】特開２００１−２９９１５２号公報
【考案の概要】
【考案が解決しようとする課題】
【０００５】
ところで、上述のような異種金属を組み合わせた複合体を疑似餌ヘッドとし、密度が異なる金属を任意の位置に内包できれば、ターゲットとなる魚種や釣法等に応じて重心を変えたり、偏心させる等、設計自由度が増す。しかし、特許文献１に開示されている疑似餌ヘッドは、その表面の一部が鉛で覆われていない露出部をタングステンで形成することで、疑似餌を水中に沈降させた際にタングステンの露出部が鉛部分よりも先に沈降して海底の岩等に衝突し、塗装が施された鉛部分を保護するものである。そのため、特許文献１では、ターゲットとなる魚種等に応じてタングステンを任意の位置に内包して配置する技術的思想はうかがえない。また特許文献２に開示されているルアーは、長さ方向中央付近において左右方向の一側面が切り欠かれた切欠部を有し、この切欠部に配置された異なる金属を配置させたものである。よって、この特許文献２にも、ターゲットとなる魚種等に応じてタングステンを任意の位置に内包して配置する技術的思想はうかがえない。
【０００６】
また従来のルアーは、特許文献２に開示されているように、本体に直接ワイヤーを通したものが知られているが、魚種に応じた泳動性を実現できるルアーのさらなる進化が求められている。
【０００７】
本考案は、上記事情に鑑みてなされたものであり、その目的は、釣り用の錘または疑似餌として使用され、ターゲットとなる魚種、釣法等に応じて設計自在な異種金属からなるハイブリッド複合体を提供することにある。
【課題を解決するための手段】
【０００８】
上記目的を達成するために、本考案のハイブリッド複合体は、釣り用の錘または疑似餌として使用されるハイブリッド複合体であって、第１金属からなる本体部と、前記第１金属とは異なる種類の第２金属からなり、前記本体部の任意の位置に内包される内包部と、前記本体部を貫通して形成されるパイプ挿通孔と、前記パイプ挿通孔内に配され、糸またはワイヤーが挿通される樹脂製、エラストマー製もしくはセラミック製のパイプ体と、を備えることを特徴とする。
【考案の効果】
【０００９】
本考案のハイブリッド複合体は上述した構成とされるため、釣り用の錘または疑似餌として使用され、ターゲットとなる魚種、釣法等に応じて任意の動きを創出する為、比重調整ができ、設計自在なものとすることができる。
【図面の簡単な説明】
【００１０】
【図１】（ａ）は第１実施形態に係るハイブリッド複合体の模式的側面図、（ｂ）は同ハイブリッド複合体の模式的正面図、（ｃ）は（ｂ）のＡ−Ａ’線矢視断面図、（ｄ）は本体部内に内包される内包部の模式的正面図である。
【図２】（ａ）〜（ｃ）は、それぞれ上記実施形態の変形例を説明するためのイメージ図である。
【考案を実施するための形態】
【００１１】
以下に、本考案の実施形態について、図面を参照しながら説明する。なお、本明細書では、紙面上の上側を上側、紙面上の下側を下側として説明する。また、図１（ａ）の紙面上において、左側をハイブリッド複合体１の前側（正面側）とし、図１（ａ）の紙面上において、右側をハイブリッド複合体１の後側（背面側）とする。
【００１２】
まず図１に示すハイブリッド複合体１は、釣り用の錘として使用することが想定して設計された例を示している。ここに示すハイブリッド複合体１は、第１金属からなる本体部２と、第１金属とは異なる種類の第２金属からなり、本体部２の任意の位置に内包される内包部３と、本体部２を貫通して形成されるパイプ挿通孔４と、パイプ挿通孔４内に配され、釣り糸Ｔが挿通される樹脂製のパイプ体５と、を備える。
【００１３】
図１（ａ）は、釣り用の錘として使用されるハイブリッド複合体１の模式的側面図である。ハイブリッド複合体１は、下部が若干潰れたような卵型球状の本体部２と、本体部２内の略中心位置に内包するように配された略球状の内包部３とを有する。本体部２を構成する第１金属は、特に限定されず例えば、鉛（約１１．３５ｇ／ｃｍ３）、タングステン（約１８ｇ／ｃｍ３）、アルミニウム（約２．７ｇ／ｃｍ３）、亜鉛（約７．１３ｇ／ｃｍ３）、スズ（約７．３１ｇ／ｃｍ３）、ビスマス（約９．７５ｇ／ｃｍ３）、ステンレス（約７．６９〜８．０６ｇ／ｃｍ３）、チタン（約４．５４ｇ／ｃｍ３）、鉄（約７．８７ｇ／ｃｍ３）、マグネシウム（約１．７４ｇ／ｃｍ３）、及びこれらの酸化物や合金等が挙げられる。本実施形態では、本体部２を構成する第１金属は、鉛を用いている。また、内包部３を構成する第２金属は、第１金属と異なる種類のものであれば特に限定されず、上記第１金属の例として挙げられた金属を用いることができる。本実施形態では、内包部３を構成する第２金属は、鉛より密度が大きいタングステンを用い、本体部２（第１金属）と内包部３（第２金属）の体積比は、およそ１：１になるように構成している。これにより、ハイブリッド複合体１全体の密度をおよそ１４〜１５ｇ／ｃｍ３という単一金属では実現できない数値とすることができる。このように異種金属を組み合わせ、本体部２（第１金属）と内包部３（第２金属）の体積比を１：２，１．５：２等と調整することで任意に比重調整をすることができる。よって、第１金属、第２金属として各種合金を用いれば、さらに微妙な比重調整が可能となる。
【００１４】
本体部２に内包される内包部３は、全体形状が略球状であり、図１（ｂ）〜（ｄ）に示すように、上部に前後方向に貫通した切り欠き部３１が形成されている。この切り欠き部３１は、内包部３が本体部２に内包された状態で、本体部２を前後方向に貫通して形成されるパイプ挿通孔４の一部となる（図１（ｃ）参照）。パイプ挿通孔４は、本体部２を前後方向に貫通して形成されており、その断面形状は多角形状でも円形状でも特に限定されないが、本実施形態では四角形状の貫通孔とした例を示している（図１（ｂ）参照）。本実施形態の内包部３は、その全体が本体部２で覆われ外観からは見えないが、内包部３の密度が本体部２より大きいので、錘としての役割を発揮できる。図１では内包部３が本体部２の略中央に配されているが、ターゲットとなる魚種や釣法等に応じて内包部３は重心としたい位置に設けられる。よって内包部３は前方もしくは後方などにずらす等、任意の位置に配してもよい。
【００１５】
また、ハイブリッド複合体１は、パイプ挿通孔４に挿通されるパイプ体５をさらに備える。パイプ体５の断面形状も多角形状でも円形状でも特に限定されないが、本実施形態では、円形状の筒体とした例を示しており、パイプ体５の両端部は本体部２から露出している。パイプ体５をパイプ挿通孔４に固定する方法は、接着剤による接着、パイプ体５の一部を溶かす溶着、パイプ体５のパイプ挿通孔４への圧入等、特に限定されることはない。
【００１６】
パイプ体５は、樹脂製、エラストマー製もしくはセラミック製であれば材質は特に限定されず、例えば樹脂材であれば、ポリエチレン（ＰＥ）、ポリプロピレン（ＰＰ）、ポリアセタール（ＰＯＭ）、ＡＳ樹脂、ＡＢＳ樹脂、ポリエーテルイミド（ＰＥＩ）、ポリエチレンナフタレート（ＰＥＮ）、ポリカーボネート（ＰＣ）、ポリアリレート（ＰＡＲ）、ポリスチレン（ＰＳ）、ポリメチルメタクリレート（ＰＭＭＡ）、ポリビニルアルコール（ＰＶＡ）、ポリ塩化ビニル（ＰＶＣ）、ポリ乳酸（ＰＬＡ）、ポリブチレンテレフタレート（ＰＢＴ）、ポリアミド（ＰＡ）、シリコーン樹脂、ポリフェニレンエーテル（ＰＰＥ）、フッ素樹脂（ＰＴＦＥ、ＰＦＡ）、ポリエーテルエーテルケトン（ＰＥＥＫ）、ポリスルホン（ＰＳＵ）、液晶ポリマー（ＬＣＰ）、ポリフェニレンサルファイド（ＰＰＳ）及びこれらの混合物等が挙げられる。エラストマーとして、ゴム材各種、クロロプレンゴム（ＣＲ）、天然ゴム（ＮＲ）イソプレンゴム（ＩＲ）スチレンブタジエンゴム（ＳＢＲ）ブチルゴム（ＩＩＲ）ブタジエンゴム（ＢＲ）エチレンプロピレンジエンゴム（ＥＰＤＭ）、ニトリルゴム（ＮＢＲ）、シリコーンゴムフッ素ゴム、ウレタンゴム、アクリルゴム等、また熱可塑性エラストマーとして、ポリスチレン系（ＳＢＣ,ＴＰＳ）ポリオレフィン系（ＴＰＯ）塩化ビニル系（ＴＰＶＣ）ポリウレタン系（ＴＰＵ）ポリエステル系（ＴＰＥＥ,ＴＰＣ）及びこれらの混合物等が挙げられる。また、セラミック材としては、アルミナ、ジルコニア、窒化アルミニウム、炭化ケイ素及びこれらの混合物等が挙げられる。上記に列挙したように、パイプ体５の材質は特に限定されることはないが、低摩擦の材質を採用することで、パイプ体５に挿通させた釣り糸Ｔが摩擦によって損傷しにくくなる。パイプ体５に挿通される釣り糸Ｔは、特に限定されないが、例えば、ナイロンライン、フロロカーボンライン、ＰＥライン、アシストライン、メタルライン、複合ライン等が挙げられ、金属ワイヤーであってもよい。本実施形態では、パイプ体５はポリエチレン（ＰＥ）、釣り糸Ｔはナイロンラインを用いている。
【００１７】
上述のようにして形成された本実施形態のハイブリッド複合体１は、パイプ体５に釣り糸Ｔが挿通されて釣り用錘として使用される。釣り用の錘としては、例えば生餌を用いるウキ釣り用の錘や、軟質樹脂からなるワーム等のソフトルアー用の錘が挙げられるが、本実施形態のハイブリッド複合体１は、タイラバ用ヘッドとしても好適である。また本実施形態のハイブリッド複合体１は、本体部２を鉛としているので、加工しやすくコストを抑えることができる。さらに本実施形態のハイブリッド複合体１は、内包部３をタングステンとしているので、体積が小さく小型でも十分な質量が確保できる。よって、水流抵抗を小さくできるので、沈ませやすく、引き抵抗も小さくすることができる。上記実施形態では、鉛とタングステンからなるハイブリッド複合体１を説明したが、この組み合わせに限定されるものではない。例えば密度が異なるアルミニウムと鉄でもよいし、密度はほぼ同じである鉄とスズであってもよい。密度が異なる異種金属からなるハイブリッド複合体１によれば、魚種や釣法等に応じて任意の動きを創出する為、比重調整が自在にできるので、任意の沈降速度に調整ができ、引き抵抗・潮流抵抗への対応の最適化も図ることができる。例えば、本実施形態のように鉛とタングステンを用いれば、鉛のみからなる釣り用錘に比べて重量が大きいものでありながら、ハイブリッド複合体１としての体積を小さくできる。よって所望する比重に合わせて上述した複数の金属から２種選択すれば、単一金属では実現できない所望する比重を実現できる。また密度がほぼ同じである異種金属を組み合わせる場合は、加工性や耐食性、コストメリット等、金属の特性を活かして設計することができる。
【００１８】
次に、図２（ａ）〜図２（ｃ）を参照しながら上記実施形態に係るハイブリッド複合体１の変形例を説明する。ここに示す例は、あくまでイメージ図であって、用途に応じて適宜形状は変更される。また上述した実施形態と共通する部分の構成及び効果の説明は省略し、図２の紙面上における左側を実施形態の前側（正面側）、その反対側を後側（背面側）とする。
【００１９】
本実施形態に係るハイブリッド複合体は、図１の例に限定されるものではなく、図２（ａ）〜図２（ｃ）に示すような態様としてもよい。ここに示すハイブリッド複合体１Ａ〜１Ｃも、本体部２を構成する第１金属は、ハイブリッド複合体１Ａとして上述のもの等から選択され、内包部３は本体部２を構成する第１金属とは異なる種類の金属が選択される。本体部２（第１金属）と内包部３（第２金属）の体積比も上述と同様に図例に限定されない。
【００２０】
図２（ａ）に示すハイブリッド複合体１Ａは、楕円球状の本体部２と、本体部２に内包された楕円球状の内包部３と、本体部２の中心を通るように前後方向に貫通して形成されたパイプ挿通孔４と、パイプ挿通孔４に配されたパイプ体５とを備え、内包部３は、本体部２の下部中央から前方向にわずかに偏った位置に内包されている。そして内包部３は、上部に前後方向に貫通した貫通孔３２が形成されており、本体部２のパイプ挿通孔４と連通している。パイプ体５は、パイプ挿通孔４と略同じ長さ寸法を有しており、その両端部が本体部２から突出しないように構成されている例を示しているが、両端部からパイプ体５が突出して設けられていてもよい。
【００２１】
図２（ｂ）に示すハイブリッド複合体１Ｂは、図２（ａ）よりも内包部３を構成する第２金属の領域が大きく確保された例を示している。ここでは、内包部３の略中央領域を貫くようにパイプ挿通孔４が形成されている。この例においても内包部３は本体部２に内包され、第１金属及び第２金属についても特に限定されないが、例えば、本体部２をタングステン等の内包部３よりも高比重の金属とし、内包部３をアルミニウム等低比重の金属で構成してもよい。
【００２２】
図２（ｃ）の縦断面図に示すハイブリッド複合体１Ｃは、長細の楕円形状の本体部２と、本体部２の一方側に内包部３が設けられ例を示している。ここでは、内包部の略中心に前後方向に貫通する貫通孔３２が形成され、本体部２の中心に前後方向に貫通して形成されたパイプ挿通孔４と連通している。パイプ挿通孔４及び貫通孔３２には、パイプ体５が配されており、パイプ体５は、パイプ挿通孔４と略同じ長さ寸法を有しており、その両端部が本体部２から突出しないように構成されている。パイプ体５内には、ステンレス製等のワイヤー６が挿通され、パイプ体５から露出しているワイヤー６の両端部６ａ，６ａ近傍が円環状に曲げられてワイヤー６の両端部６ａ，６ａが再びパイプ体５に挿通されることで、不図示の釣り針や釣り糸が係止可能な係止部６１，６１が形成されている。図２（ｃ）では本体部２の形状は断面視において楕円形状としているが、小魚等を模した形状とすれば、メタルジグを構成することができる。またハイブリッド複合体１Ｃは、例えば内包部３をタングステン等の高比重の金属で構成すれば、疑似餌として投げられた際（キャスト時）により遠くに飛びやすくする等、自由に設計することができる。
【００２３】
各実施形態におけるハイブリッド複合体１，１Ａ，１Ｂ，１Ｃの構成は、上述したものや図示したものに限定されることはない。例えば本体部２、内包部３、パイプ挿通孔４、パイプ体５の形状、構造も図例に限定されず、例えば本体部２、内包部３及びパイプ体５がＵ字状・Ｓ字状に湾曲していたり、平面視において左右非対称の形状であってもよく、上記本考案の構成に加えて魚種、釣法によって本体部２等の形状を変えることで体積抵抗の増減による任意の動きを実現できる。またハイブリッド複合体１，１Ａ，１Ｂ，１Ｃの本体部２の表面は塗装されていてもよいし、長期使用に耐えられるようにコーティングされていてもよい。さらに本体部２の表面に目玉やうろこを模したものが施されていてもよいし、ホログラム等のシートが貼着されていてもよい。
【００２４】
上述した各実施形態におけるハイブリッド複合体１，１Ａ，１Ｂ，１Ｃは、本体部２内の任意の位置に内包部３が内包されているので、魚種、釣法等に応じて重心を変え設計自在に構成できる。例えば、図２（ｃ）のハイブリッド複合体１Ｃは、内包部３が本体部２の後端部付近に内包されることで、キャスト時に遠くまで飛びやすくなっているが、逆に内包部３を本体部２の前端部付近に内包されれば、水中での泳動性をよくすることができる。またハイブリット複合体は釣り糸Ｔまたはワイヤー６が挿通されるパイプ体５を備えているので、設計自由度が増すため、タイカブラとしてもよいし、またメタルジグとしてもこれまでにない泳動性を備えたものを構成することができる。さらに、図１及び図２（ａ）（ｃ）のハイブリッド複合体１，１Ａ，１Ｃでは、内包部３を密度の大きいタングステン等を使って沈降速度向上を図りながらも、鉛等の安価な金属を本体部２として組み合わせることで、重さを備えつつコストを抑えることができる。また、図２（ｂ）のハイブリッド複合体１Ｂのように、第１金属からなる本体部２が密度の大きいタングステン等の金属、第２金属からなる内包部３が鉛等の安価な金属であってもよい。
【００２５】
上述した各実施形態では、内包部３を本体部２の略中心部もしくは前後方向のいずれかに片寄った位置に内包された例を挙げているが、上述のとおり、これに限定されることはない。内包部３は本体部２の左右のいずれかに片寄った位置に内包させてもよいし、前後方向及び左右方向の両方が偏った位置に内包されてもよい。魚種や釣法等に応じてハイブリッド複合体１の重心を偏心させることで、水中での任意の動き、すなわち魚に近いアクション性を実現することができる。また、本体部２に内包される内包部３の個数も１つに限定されず、複数内包されてもよい。本体部２を構成する第１金属の量、内包部３を構成する第２金属の量も図例に限定されるものではない。また、上述した各実施形態のハイブリッド複合体１，１Ａ，１Ｂ，１Ｃでは、内包部３に切り欠き部３１もしくは貫通孔３２が設けられてパイプ挿通孔４と連通しているがこれに限定されることはない。内包部３は、切り欠き部３１や貫通孔３２が形成されずにパイプ体５に接する位置若しくはパイプ体５から離れた位置に内包されてもよい。また、上述の実施形態では、パイプ挿通孔４は角孔であるが丸孔であってもよい。また、図１のハイブリッド複合体１は、パイプ体５の両端部が本体部２から露出した構成となっているが、露出している部分はカットされてもよい。また係止部６１，６１も図２（ｃ）に示すリング状に限定されず、フック状でもよい。
【符号の説明】
【００２６】
１，１Ａ，１Ｂ，１Ｃ      ハイブリッド複合体
２                        本体部
３                        内包部
４                        パイプ挿通孔
５                        パイプ体
【図１】
0003234490.tif 000003
【図２】
0003234490.tif 000004